(57)【特許請求の範囲】
【請求項１】
ハウジングに形成された孔内に外周が嵌め込まれて固定された状態で使用される樹脂製スリーブにおいて、
外周面に周方向に一定の間隔を開けて複数の凸部が形成され、この各凸部は、スリーブ軸方向への長さが当該スリーブ自体の軸方向長さよりも短いとともに、このスリーブは、上記ハウジングに形成された孔の内径面に対して円筒状の弾性体を介して嵌め込まれ、上記凸部を除く部分の外径寸法は上記円筒状の弾性体の内径寸法よりも小さく、かつ、当該スリーブの中心から上記各凸部の先端までの寸法は、上記円筒状の弾性体の内径寸法よりも大きいことを特徴とする樹脂製スリーブ。
【請求項２】
ハウジングに形成された孔内に外周が嵌め込まれて固定された状態で使用される樹脂製スリーブで、上記ハウジングの孔に対する嵌合面である外周面に、周方向に一定の間隔を開けて複数の凸部が形成されてなる樹脂製スリーブを射出成形法を用いて製造する方法であって、
相対的に接近・離隔自在の２つの金型と、その２つの金型により形成される空洞内に挿脱自在に挿入されるコア金型とからなる射出成形金型を用いて円筒状のキャビティを形成するとともに、その円筒状のキャビティの外周面に周方向に一定の間隔を開けて設けた複数のゲートから、当該キャビティ内に溶融樹脂を射出注入して固化させることにより、各ゲート後が成形品の外周面から突出して上記凸部を形成することを特徴とする樹脂製スリーブの製造方法。
【発明の詳細な説明】
【０００１】
【発明の属する技術分野】
本発明は、例えばファンモータの回転軸等を支持する樹脂製のスリーブとその製造方法に関する。
【０００２】
【従来の技術】
ファンモータの回転軸等の比較的小径で、略一定の負荷が掛かるような軸を回転自在に支持する軸受として、例えば内周面にラジアル動圧溝を刻設してなる樹脂製スリーブが多用されている。この種の樹脂製スリーブは全体として円筒体であり、図４に２個の樹脂製スリーブ４１を直列的に並べて用いる場合の使用状態における断面図を模式的に示すように、各樹脂製スリーブ４１はその外周面がハウジング４２（ファンモータの場合はステータ）に形成されている孔４２ａ内に嵌め込まれた状態で固定される。なお、この際、図示のように、各樹脂製スリーブ４１の外周とハウジング４２の孔４２ａの間にゴム等の弾性体４３を介在させる場合もある。
【０００３】
樹脂製スリーブ４１のハウジング４２ないしは弾性体４３に対する固定の方法としては、接着剤を用いて樹脂製スリーブ４１をハウジング４２の孔４２ａないしは弾性体４３に接着固定する方法と、樹脂製スリーブ４１をハウジング４２の孔４２ａ内に、あるいはその内側の弾性体４３に対して圧入することによって固定する方法のいずれかが採用されている。なお、回転軸４４（ファンモータの場合はロータ軸）は、動圧溝が形成されたスリーブ４１の内面に挿入され、回転自在に支持される。
【０００４】
以上のような樹脂製スリーブ４１は、従来、図５に断面図を例示するような金型構成のもとに射出成形法により成形されている。すなわち、互いに接近・離隔自在の金型５１と５２の間に円柱状の空洞を形成するとともに、その空洞の中心部にコア金型５３を挿入することにより、金型５１、５２およびコア金型５３により円筒状のキャビティ５４を形成する。そして、キャビティ５４の一方の端面側にゲート５５を設け、そのゲート５５を通じてキャビティ５４内に溶融樹脂を射出注入して固化させる方法が一般に採用されている。
【０００５】
【発明が解決しようとする課題】
ところで、以上のような従来の樹脂製スリーブ４１においては、ハウジング４２の孔４２ａないしはその内側に介在配置された弾性体４３に対する固定方法として、接着剤を用いる方法を採用する場合には組立工数が大となり、また、圧入により固定する方法を採用する場合には、樹脂製スリーブ４１の外径寸法と孔４２ａの内径寸法の双方を厳密に寸法管理する必要があり、いずれの場合においてもコストを上昇させる原因となっている。
【０００６】
本発明はこのような実情に鑑みてなされたもので、接着剤を用いることなく、かつ、スリーブ外径面とハウジングの孔の内径面の寸法管理を厳密に行うことなく、ハウジングの孔に対して堅固に固定することができ、もってコストダウンを達成することのできる樹脂製スリーブとその製造方法の提供を目的としている。
【０００７】
上記の目的を達成するため、本発明の樹脂製スリーブは、ハウジングに形成された孔内に外周が嵌め込まれて固定された状態で使用される樹脂製スリーブにおいて、
外周面に周方向に一定の間隔を開けて複数の凸部が形成され、この各凸部は、スリーブ軸方向への長さが当該スリーブ自体の軸方向長さよりも短いとともに、このスリーブは、上記ハウジングに形成された孔の内径面に対して円筒状の弾性体を介して嵌め込まれ、上記凸部を除く部分の外径寸法は上記円筒状の弾性体の内径寸法よりも小さく、かつ、当該スリーブの中心から上記各凸部の先端までの寸法は、上記円筒状の弾性体の内径寸法よりも大きいことによって特徴づけられる。
【０００８】
また、本発明の樹脂製スリーブの製造方法は、ハウジングに形成された孔内に外周が嵌め込まれて固定された状態で使用される樹脂製スリーブで、上記ハウジングの孔に対する嵌合面である外周面に、周方向に一定の間隔を開けて複数の凸部が形成されてなる樹脂製スリーブを射出成形法を用いて製造する方法であって、相対的に接近・離隔自在の２つの金型と、その２つの金型により形成される空洞内に挿脱自在に挿入されるコア金型とからなる射出成形金型を用いて円筒状のキャビティを形成するとともに、その円筒状のキャビティの外周面に周方向に一定の間隔を開けて設けた複数のゲートから、当該キャビティ内に溶融樹脂を射出注入して固化させることにより、各ゲート後が成形品の外周面から突出して上記凸部を形成することによって特徴づけられる。
【０００９】
本発明は、樹脂製スリーブをハウジングの孔に対して面接触による嵌合で固定するのではなく、ハウジングの孔に対する嵌合面である樹脂製スリーブの外周面に、当該スリーブの軸方向寸法よりも短い同方向寸法を有する複数の凸部を周方向に一定の間隔で設ける一方、このスリーブをハウジングの孔の内径面に対して円筒状の弾性体を介して嵌め込む構成を採用することにより、樹脂製スリーブの各凸部を円筒状の弾性体に食い込ませて相互に固定することで、所期の目的を達成しようとするものである。
【００１０】
すなわち、樹脂製スリーブの外周面に周方向に一定の間隔を開けて、スリーブの軸方向寸法よりも短い同方向寸法を有する複数の凸部を形成しておき、そのスリーブを円筒状の弾性体を介在配置した状態でハウジングの孔内に固定することにより、各凸部が弾性体内に食い込むことにより、樹脂製スリーブがハウジングの孔に対して実質的に圧入された状態となって、接着剤を使用することなくハウジングに対して確実に固定することができる。しかも、各凸部の形成部分を除く樹脂製スリーブの外径寸法と、ハウジングの孔の内径寸法は、従来の圧入による嵌合固定方法を採用する場合に比して、寸法管理を大幅に緩くすることができる。
【００１１】
また、本発明の樹脂製スリーブの製造方法は、上記した請求項１に係る発明の樹脂製スリーブのように、外周面に周方向に一定の間隔で複数の凸部を形成した樹脂製スリーブにおける当該各凸部の形成を、射出成形時におけるゲート跡を利用することによって容易に実現するものである。すなわち、射出成形金型により形成される円筒状のキャビティの外周に周方向に一定の間隔を開けてゲートを設けて溶融樹脂を射出注入して固化させることにより樹脂製スリーブを成形し、その外周面に残った各ゲート跡をそのまま利用して上記の各凸部とすることにより、金型構成並びに製造工程を複雑化することなく、従って低コストのもとに請求項１に係る発明の樹脂製スリーブを得ることができる。
【００１２】
【発明の実施の形態】
以下、図面を参照しつつ本発明の実施の形態について説明する。
図１は本発明に係る樹脂製スリーブの実施の形態の外観図である。
この実施の形態の樹脂製スリーブ１は、従来と同様に全体として円筒形をしており、その内周面１１に動圧溝１１ａが形成されているとともに、外周面１２には、軸方向中央部の円周に沿って、周方向に一定の間隔を開けて複数の凸部１２ａが形成されている。
【００１３】
以上の樹脂製スリーブ１は、図４に示したものと同等の使用に際して、ハウジング４２の孔４２ａ内に配置された円筒状の弾性体４３の内面に対し、各凸部１２ａを除く部分の外径寸法が若干小さく設定され、かつ、スリーブ中心から各凸部１２ａの先端部までの寸法は、弾性体４３の内面の半径よりも若干大きく設定される。そして、弾性体４３の内面に対して嵌合固定する際、各凸部１２ａが弾性体４３に対して食い込むことにより、実質的に樹脂製スリーブ１が弾性体４３に対して圧入された状態となり、接着剤を用いることなく、弾性体４３に対して堅固に固定された状態となる。
【００１４】
このような形状を有する樹脂製スリーブ１は、以下に示す金型構成のもとに射出成形法により成形することができる。図２にその金型構成を縦断面図で示す。また、図３には図２のＡ−Ａ断面図を示す。
【００１５】
この例においては、相対的に接近・離隔可能な上部金型２１と下部金型２２の内側に円柱状の空洞を形成するとともに、その空洞内にコア金型２３を挿脱自在に設けて、これらの上部金型２１、下部金型２２およびコア金型２３により円筒状のキャビティ２４を形成している。また、コア金型２３の外周面には、動圧溝型２３ａが形成されている。
【００１６】
上部金型２１と下部金型２２のパーティングラインＰはキャビティ２４の上下方向中央部に設けられており、このパーティングラインＰに沿って、キャビティ２４の外周に周方向に一定に間隔を開けて複数のゲート２５が設けられている。各ゲート２５は、キャビティ２４に接する小円筒状部２５ａを含み、その小円筒部２５ａに続いて細く絞った狭窄部２５ｂを備えた形状を有している。そして、各ゲート２５は、図３に示すように、キャビティ２４の周囲を一周する円周部とその円周部から各ゲート２５に通じる放射状部とからなるランナ２６を介してスプル２７に通じている。
【００１７】
以上の金型構成によりキャビティ２４内に溶融樹脂を射出注入して固化させた後に離型して成形品を取り出し、各ゲート２５は狭窄部２５ｂにおいてカットすると、その成形品の外周面には、各ゲート２５の位置に対応して小円筒状部２５ａが突出した状態となり、これらをそのまま残すことによって、外周面１２に周方向一定の間隔を開けて凸部１２ａが形成されてなる、図１に示した樹脂製スリーブ１が得られる。
【００１８】
なお、以上の実施の形態においては、各凸部１２ａを外周面１２の軸方向中央部の円周に沿って形成した例を示したが、本発明はこれに限定されることなく、各凸部１２ａの形成位置は軸方向任意の位置とすることができる。
【００１９】
また、本発明は、図４に例示したようにハウジング４２内に直列的に２個並べて配置して使用する樹脂製スリーブのほか、内周面に軸方向所定の間隔を開けて２組の動圧溝を形成した構造を有し、回転軸を１個の樹脂製スリーブにより支持するものにも等しく適用し得ることは勿論である。
【００２０】
【発明の効果】
以上のように、本発明の樹脂製スリーブによれば、外周面に周方向に一定の間隔を開けて複数の凸部を形成し、これを円筒状の弾性体を介在させた状態でハウジングの孔に固定するように構成しているので、樹脂製スリーブの弾性体に対する組込み時において、その各凸部がハウジング側の弾性体に食い込むことによって、ハウジング側の弾性体に対して圧入した場合と同等もしくはそれ以上の堅固さで固定することができ、接着剤により固定する場合に比して組立工数を減らすことができ、また、ハウジングに対して圧入することにより固定する場合に比して、ハウジング並びに樹脂製スリーブの寸法管理を大幅に緩くすることができ、コストを削減することができる。
【００２１】
また、本発明の樹脂製スリーブの製造方法によると、キャビティの外周に周方向一定の間隔を開けて複数のゲートを形成し、そのゲート跡を残すことによって上記した凸部を形成するので、簡単な金型構成と簡単な製造工程のもとに本発明の樹脂製スリーブを製造することができ、その製造コストの上昇を伴うことなく、上記した本発明に係る樹脂製スリーブの効果を奏することができる。
【図面の簡単な説明】
【図１】  本発明を適用した樹脂製スリーブの外観図である。
【図２】  図１の樹脂製スリーブを製造するための金型構成の例を示す縦断面図である。
【図３】  図２のＡ−Ａ断面図である。
【図４】  従来の樹脂製スリーブの使用状態の例を示す断面図である。
【図５】  図４の樹脂製スリーブを成形するための射出成形用金型の構成例を示す縦断面図である。
【符号の説明】
１  樹脂製スリーブ
１２  外周面
１２ａ  凸部
２１  上部金型
２２  下部金型
２３  コア金型
２４  キャビティ
２５  ゲート
２５ａ  小円筒部
２５ｂ  狭窄部
２６  ランナ
２７  スプル
【図１】
0003757310.tif 000002
【図２】
0003757310.tif 000003
【図３】
0003757310.tif 000004
【図４】
0003757310.tif 000005
【図５】
0003757310.tif 000006